(57)【要約】【課題】様々な取り付け態様に対応でき、薄型化、小型化、軽量化を図ることができる鏡一体型照明装置を提供すること。【解決手段】鏡一体型照明装置は、鏡部および該鏡部の周囲の少なくとも一部に配置された透光部からなるガラスカバーと、透光部の背面の少なくとも一部に、かつ、鏡部の背面の少なくとも一部に重なるように配置され、端面から入射された光を透光部の背面に向けて出射させる導光板と、導光板の端面に光を入射する半導体光源ユニットとを備えて構成される。ガラスカバーと導光板は、鏡部の少なくとも一部において固着されている。【選択図】図１
2013145651.tif 000002
【特許請求の範囲】
【請求項１】
鏡部と、前記鏡部の周囲の少なくとも一部に配置された透光部とを有するカバー部と、
前記透光部の背面の少なくとも一部に、かつ、前記鏡部の背面の少なくとも一部に重なるように配置され、端部から入射された光を前記透光部の背面に向けて出射させる導光板と、
前記導光板の端部に光を入射する半導体光源ユニットとを備え、
前記カバーと前記導光板が前記鏡部の少なくとも一部において固着されている
ことを特徴とする鏡一体型照明装置。
【請求項２】
前記導光板から出射された光が前記透光部の端部に直接入射しないように遮光するための遮光部材を設けた
ことを特徴とする請求項１に記載の鏡一体型照明装置。
【請求項３】
前記導光板の背面における前記透光部に対応する領域に鏡面部を形成した
ことを特徴とする請求項１または２に記載の鏡一体型照明装置。
【請求項４】
半導体光源ユニットと、
鏡部と、前記鏡部の周囲の少なくとも一部に配置された透光部とからなり、前記半導体光源ユニットを挟んで配置された一対のカバー部と、
前記透光部の背面の少なくとも一部に、かつ、前記鏡部の背面の少なくとも一部に重なるように配置され、端部から入射された前記半導体光源ユニットからの光を、内部を全反射しながら前記各透光部の背面に出射させる導光板と、
前記一対のカバー部の内の一方のカバー部と前記導光板の一方の面とが、前記一方のカバー部の前記鏡部の一部において固着され、前記一対のカバー部の内の他方のカバー部と前記導光板の他方の面とが前記他方のカバー部の前記鏡部の一部において固着されている
ことを特徴とする鏡一体型照明装置。
【請求項５】
前記透光部は、略Ｕ字形状であって、前記鏡部の縁辺の少なくとも一部に前記鏡部と連続して形成されており、
前記導光板は略Ｕ字形状に形成され、
前記半導体光源ユニットは、保持板と、前記保持板の端面に配置された半導体光源とを有し、前記導光板に囲まれた領域に嵌着され、
前記導光板は、前記導光板の端面から入射された前記半導体光源からの光を前記透光部の背面に出射させる
ことを特徴とする請求項１〜４のいずれかに記載の鏡一体型照明装置。
【発明の詳細な説明】
【技術分野】
【０００１】
本発明は、照明装置に関し、特に、導光板を面発光させることにより、この導光板に固着・接合されたカバーを構成する鏡部の周囲に位置する透光部を照明する鏡一体型照明装置に関する。
【背景技術】
【０００２】
従来、鏡一体型照明装置としては、導光板の対向する両端面側に光源として蛍光灯を配置し、導光板の端面部（側面部）に光源からの光を入射して導光板の前面を均一に発光させるエッジライト方式を採用したものが知られている（以下の特許文献１参照）。
【０００３】
上記した特許文献１に係る鏡一体型照明装置は、裏面にドットパターンが印刷された平板状の導光板と、導光板の左右両端面側に配置された光源（蛍光灯）と、導光板の前面を均一に発光させるために導光板の前面に配置された拡散シートと、拡散シートの前面に配置された平板状のガラスカバーと、各部材（ガラスカバー、拡散シートおよび導光板等、以下、「各積層部材」と呼ぶ。）を固着して保持する機能を有する保持部とを備えて構成されている。
【０００４】
ガラスカバーは、鏡面処理（銀引き処理）が施されて形成された鏡面部と、その周囲に配置された透光部（透明部または半透明部）を備えて構成されている。
【０００５】
保持部は、各積層部材を挟持するための保持溝を有しており、各積層部材の縁辺近傍を保持溝に嵌合することにより各積層部材が固着され保持されている。
【先行技術文献】
【特許文献】
【０００６】
【特許文献１】特開２００２−１５７９０７号公報
【発明の概要】
【発明が解決しようとする課題】
【０００７】
ところで、鏡一体型照明装置は、美容室やトイレ等の洗面室等に利用されている。この装置を設置する態様としては、床に据え置くような態様、壁に固定して取り付ける態様、壁に埋め込んで取り付ける態様等があり、設置態様は多様化している。
【０００８】
これらのどの態様においても、積層部材の周囲に構造物があると、その構造物の大きさや機能維持等を考慮して設置に制限が設けられることが多い。
【０００９】
上記した従来の鏡一体型照明装置では、積層部材の周囲に保持部が設けられているので、保持部の大きさや機能に応じて設置制限がされる虞がある。
【００１０】
本発明の課題は、様々な設置態様に対応でき、薄型化、小型化、軽量化を図ることができる鏡一体型照明装置を提供することにある。
【課題を解決するための手段】
【００１１】
請求項１に記載の発明は、鏡部と、前記鏡部の周囲の少なくとも一部に配置された透光部とを有するカバー部と、前記透光部の背面の少なくとも一部に、かつ、前記鏡部の背面の少なくとも一部に重なるように配置され、端部から入射された光を前記透光部の背面に向けて出射させる導光板と、前記導光板の端部に光を入射する半導体光源ユニットとを備え、前記カバーと前記導光板が前記鏡部の少なくとも一部において固着されていることを特徴とする鏡一体型照明装置である。
また、請求項２に記載の発明は、請求項１に記載の鏡一体型照明装置であって、前記導光板から出射された光が前記透光部の端部に直接入射しないように遮光するための遮光部材を設けたことを特徴とする。
また、請求項３に記載の発明は、請求項１または２に記載の鏡一体型照明装置であって、前記導光板の背面における前記透光部に対応する領域に鏡面部を形成したことを特徴とする。
また、請求項４に記載の発明は、半導体光源ユニットと、鏡部と、前記鏡部の周囲の少なくとも一部に配置された透光部とからなり、前記半導体光源を挟んで配置された一対のカバー部と、前記透光部の背面の少なくとも一部に、かつ、前記鏡部の背面の少なくとも一部に重なるように配置され、端部から入射された前記半導体光源ユニットからの光を、内部を全反射しながら前記各透光部の背面に出射させる導光板と、前記一対のカバー部の内の一方のカバー部と前記導光板の一方の面とが、前記一方のカバー部の前記鏡部の一部において固着され、前記一対のカバー部の内の他方のカバー部と前記導光板の他方の面とが前記他方のカバー部の前記鏡部の一部において固着されていることを特徴とする鏡一体型照明装置である。
また、請求項５に記載の発明は、請求項１〜４のいずれかに記載の鏡一体型照明装置であって、前記透光部は、略Ｕ字形状であって、前記鏡部の縁辺の少なくとも一部に前記鏡部と連続して形成されており、前記導光板は前記略Ｕ字形状に形成され、前記半導体光源ユニットは、保持板と、前記保持板の端面に配置された半導体光源とを有し、前記導光板に囲まれた領域に嵌着され、前記導光板は、前記導光板の端面から入射された前記半導体光源からの光を前記透光部の背面に出射させることを特徴とする。
【発明の効果】
【００１２】
この発明に係る鏡一体型照明装置は、カバーと、導光板と、導光板の端面に光を出射するように配置された半導体光源ユニットとを備えて構成されている。カバーは、鏡部と、この鏡部の周囲の少なくとも一部に配置された透光部と有して構成されている。導光板は、透光部の背面の少なくとも一部に、かつ、鏡部の背面の少なくとも一部に重なるように配置され、カバーと導光板が鏡部の少なくとも一部において固着されている。導光板は、この導光板の端部に入射された光を透光部の背面に出射させている。
【００１３】
したがって、導光板が、透光部の背面に重なるようにガラスカバーに固着されているので、端部に入射された光を透光部の背面に出射できるとともに、ガラスカバーと導光板からなる積層部材の周囲全体に該積層部材を保持するための保持部材を設ける必要がない。このため、従来のように保持部の大きさや機能に応じて取り付け制限がされる虞が生じることがなく、様々な取り付け態様に対応できるので、鏡一体型照明装置の薄型化、小型化、軽量化を図ることができる。
【図面の簡単な説明】
【００１４】
【図１】第１の実施形態に係る鏡一体型照明装置の構造を示した斜視図である。
【図２】第１の実施形態に係る鏡一体型照明装置の断面構造を説明するための図である。
【図３】図１のＡ−Ａ線断面図であって、導光板の下端面から光を入射した場合における光の偏向の様子を説明するための図である。
【図４】第２の実施形態に係る鏡一体型照明装置の構造を示した分解斜視図である。
【図５】導光板にＬＥＤモジュールが嵌め込まれた状態を示した正面図である。
【図６】ＬＥＤモジュールの構造を説明するための模式図である。
【図７】図５のＢ−Ｂ線断面図およびその一部拡大断面図である。
【図８】図５のＣ−Ｃ線断面図およびその一部拡大断面図である。
【発明を実施するための形態】
【００１５】
＜第１の実施の形態＞
以下に、鏡一体型照明装置の第１の実施形態について図１〜図３を参照しながら説明する。図１は、第１の実施形態に係る鏡一体型照明装置の構成を示した斜視図である。図２は、第１の実施形態に係る鏡一体型照明装置の断面構造を説明するための図である。図３は、図１のＡ−Ａ線断面図であって、導光板の下端面から光を入射した場合における光の偏向の様子を説明するための図である。
【００１６】
［全体構成］
鏡一体型照明装置１は、図１に示すように、ガラスカバー２と、導光板３と、半導体光源ユニットとして機能するＬＥＤ（Ｌｉｇｈｔ  Ｅｍｉｔｔｉｎｇ  Ｄｉｏｄｅ）モジュール８（図２参照）と、ガラスカバー２、導光板３およびＬＥＤモジュール８を保持するための保持部９を備えて構成されている。
【００１７】
ガラスカバー２は、略矩形状のガラスプレートであり、略矩形状の鏡面部（鏡領域）２ａと、鏡面部２ａの下端部（下端面）を除く上端部（上端面）および左右両端部（左右両端面）に配置され所定の幅を有する略コの字形状の透光部（面発光部）２ｂを一体に成形してなり、全体として略長方形の平板形状を成している。
【００１８】
透光部２ｂの形状は、略Ｕ字形状や、略Ｃ字形状であってもよい。鏡面部の形状が、例えば略円形の鏡面部、略楕円形の鏡面部のような場合には、透光部２ｂの形状を略Ｃ字形状とするのが好ましい。また、透光部２ｂの形状は、上記した略コの字形状、略Ｕ字形状、略Ｃ字形状の他にも、鏡面部２ａの周囲を取り囲むような略ロの字形状であってもよい。
【００１９】
また、透光部２ｂは、透光形成すべき領域（透光領域）が透明ガラスもしくはすりガラスで形成されているが、光を透過させる性質を有するのであれば、これに限定されることなく、例えば、プラスチック等の樹脂材料であってもよい。この透光部２ｂの裏側（導光板側）から光が入射されると、この透光領域は面発光する。
【００２０】
鏡面部２ａは鏡面処理加工により施される。具体的には鏡面形成領域にアルミニウムや銀などの金属を蒸着させている。なお、鏡面処理加工としては、アルミニウムや銀などの金属を蒸着させた上記したようなもの以外にも、プラスチックやポリエステルフィルムの表面に金属を蒸着したようなものでもよい。したがって、鏡面部２ａと透光部２ｂを備えるカバーとしては、上記したカバーガラス２以外にも樹脂製のカバーであってもよい。
【００２１】
また、鏡面部２ａの四隅（各コーナー部）にそれぞれビス穴（図示せず）が形成されている。導光部３には鏡面部２ａを重ね合わせたときにこの鏡面部２ａのビス穴の形成箇所に対応する箇所にそれぞれビス穴（図示せず）が形成されている。ガラスカバー２と導光板３を重ね合わせた状態で鏡面部２ａおよび導光部３のビス穴にビス６を通して締め付けることによってガラスカバー２と導光板３を接合させる。
【００２２】
なお、ビス穴の形成位置は、鏡面部２ａ内であれば鏡面部２ａの四隅に限定されることはない。また、ビス以外に例えば接着剤や粘着テープ等を用いて接合してもよい。
【００２３】
導光板３は、光を透過する性質、つまり透光性を有する材料からなる薄板（プレート）である。導光板３の、上部端面、下部端面、及び側部端面のいずれかから光が入射すると、その光は表面（ガラスカバー側）と裏面（背面側）との間で内面反射（全反射）する。この内面反射により、入射した光は、入射された端面から反対側の端面に向けて導かれる。導光板３の材料としては、例えば、アクリルやポリカーボネートなどの樹脂、またはガラス等が採用される。なお、導光板３は剛性のものに限られるものでは無く、可撓性のものを用いてもよい。
【００２４】
ガラスカバー２と導光板３は、ほぼ同じ形状で、かつ、ほぼ同じ大きさである。ガラスカバー２の裏面と導光板３の表面は、互いに固着されている。ガラスカバー２と導光板３は、透光部２ｂの背面の少なくとも一部に、かつ、鏡面部２ａの背面の少なくとも一部に重なるように配置される。固着方法の詳細については後述する。
【００２５】
また、図３に示すように、導光板３の裏面（背面）には、ＬＥＤモジュール８から光入射端部（下端面）３ａを介して入射された光の方向を偏向させる光偏向部として、光をランダムに散乱させる光散乱部（拡散部）４が形成されている。光散乱部４は、光を散乱（拡散）するために導光板３の裏面に所定の配列でスクリーン印刷（シルク印刷）された拡散ドットパターンで構成されている。ＬＥＤモジュール８からの光Ｐ１がこの拡散ドットパターンに入射すると、これにより拡散された光の少なくとも一部（光Ｐ２）が全反射条件を外れるために、透光部２ｂを介してその前面（正面）から出射される。この拡散ドットパターンは、上述したように導光板３の表面全体が均等に光るように、ＬＥＤモジュール８からの距離等に応じて調節されている。
【００２６】
図３に示す例では、あくまで説明のために模式的に表している関係上、ドットは同じ面積になるように表されているが、実際には上端面に行くに従ってドット面積は大きくなっている。また、光偏向部としては本例のように拡散ドットパターンをスクリーン印刷で加工したもの以外にも、例えば、拡散性や透光性の材料をインクジェット法で滴下したのち硬化させたものや、機械加工や成型により凹凸加工したもの、レーザー波で導光板３の表面をキズつけて加工したもの等でもよい。
【００２７】
この拡散ドットパターンは、ＬＥＤモジュール８を導光板３の下端面側にのみ配置する場合には、導光板３の表面全体に均等に光が照射されるように、ＬＥＤモジュール８の下端面から上端面に向かうに従ってドットの占める面積が次第に増大するように設計される。
【００２８】
なお、ＬＥＤモジュール８を導光板３の対向する上端面および下端面の両方に配置する場合には、それぞれのＬＥＤモジュール８の側から導光板３の中央付近に行くに従ってドットの占める面積が次第に増大するように設計される。
【００２９】
ここで、ドットの占める面積が次第に増大するような設計の態様としては、１個のドットの面積が次第に増大するように設計される場合と、１個のドットの面積を同一にしてドットの数が次第に増加するように設計される場合とがある。
【００３０】
光散乱部４を構成する拡散ドットパターンは散乱剤を用いて形成されており、この散乱剤として、例えば、酸化チタン（ＴｉＯ２）、炭酸カルシウム（ＣａＣＯ３）、各種顔料系インク、または樹脂微粒子等が用いられる。
【００３１】
光散乱部４を含む導光板３の裏面全体には反射膜５がコーティングされている。したがって、導光板３の下端面３ａから入射された光は、鏡面部２ａに対応する領域（全反射領域）においては導光板３の内部を全反射し、透光部２ｂに対応する領域（光出射面）においては、光散乱部４を介して散乱した光Ｐ２が透光部２ｂを透過する。詳細については後述する。反射膜５として、例えば、アルミテープ、銀蒸着フィルム等の反射部材からなる反射テープが用いられる。
【００３２】
ＬＥＤモジュール８は、図３に示すように、ＬＥＤ基板１６上に複数個のＬＥＤ発光ダイオード１５が配列されて構成されている。これらＬＥＤ発光ダイオード１５は、導光板３の下端面に沿って所定の間隔をおいて配列されている。ＬＥＤモジュール８はＬＥＤ保持プレート１３に接着剤で固着されている。なお、ＬＥＤ発光ダイオード１５は、例えば、白色光を発光するように構成されるが、これに限定されない。
【００３３】
保持部９は、ＬＥＤモジュール８が載置される断面Ｌ字形状のＬＥＤ保持プレート１３と、正面側保持プレート１２と、背面側保持プレート１１とを備えて構成されている。ＬＥＤ保持プレート１３の左右両端には、それぞれ装置固定用足１４が取り付けられている。
【００３４】
ガラスカバー２と導光板３においては、それらの下端部が正面側保持プレート１２と背面側保持プレート１１で挟持されている。ガラスカバー２を構成する鏡面部２ａの上方の左右コーナー付近に形成されたビス穴と導光板３の上方の左右コーナー付近に形成されたビス穴にビス６を通してビス締めが行われる。このビス締めを行うことによってガラスカバー２と導光板３が接合・保持される。
【００３５】
なお、上記したビス締めによる接合・保持の他に、鏡面部２ａの裏面および導光板３の表面における上記した左右コーナー付近に接着剤を塗布してガラスカバー２と導光板３を接合・保持してもよい。また、鏡面部２ａの裏面全体に接着剤を塗布し、導光板３の表面の内の鏡面部２ａの裏面に対応する領域全体に接着剤を塗布してガラスカバー２と導光板３接合・保持してもよい。また、接着剤の代わりに粘着テープ（両面テープ）を用いることもできる。
【００３６】
＜本装置１の面発光動作＞
以下に、本装置１の面発光動作について図３を参照して説明する。図３は、導光板３の内部に導かれる光が光散乱部４によって偏向される様子を説明するための模式図である。なお、図３では、説明のため、導光板３の内部に導かれる光束の一部の光路を単一の線で模擬的に示している。
【００３７】
導光板３の下部端面に配置されたＬＥＤモジュール８から出射された光Ｐ１は、導光板３の内部表面を内面反射しながら上部端面に向かって進行する。具体的には、光Ｐ１は、ガラスカバー２側に位置する導光板３の正面側内面と、反射膜５側に位置する導光板３の背面側内面との間を、内面反射を繰り返しながら上部端面に向かって進行する。このように、導光板３の内部に入射された光Ｐ１が導光板３の表面および裏面から出ることなく進行する現象は、光Ｐ１が正面側内面及び背面側内面のそれぞれで全反射を繰返して進む性質から起こるものである。
【００３８】
導光板３内に入射した光Ｐ１が光散乱部４に入射されると、光散乱部４の散乱剤の粒子にぶつかることで光Ｐ１の一部は光Ｐ２としてランダムな方向に偏向される（図３参照）。偏向された光Ｐ２の一部は、偏向することで全反射の条件を外れ、透光部２ａを介してガラスカバーの正面側に出射される。このようにして導光板３の外部に出射した光Ｐ２により、透光部２ａが配置された領域が面発光（照明）される。
【００３９】
［効果］
上記した第１の実施の形態に係る鏡一体型照明装置１は、ガラスカバー２と、導光板３と、導光板３の下端面に光を出射するように配置されたＬＥＤモジュール８とを備えて構成されている。ガラスカバー２は、鏡面部２ａと、この矩形状の鏡面部２ａの周囲の一部（上端面および左右両端面）に配置された透光部２ｂと有する。導光板３は、透光部２ｂの背面に、かつ、鏡面部２ａの背面に重なるように配置され、導光板３の一部が鏡面部２ａの一部にビス６を用いて固着され、下端面に入射された光を透光部２ｂの背面に出射させる。
【００４０】
したがって、導光板３が、透光部２ｂの背面に重なるようにガラスカバーに固着されているので、下端面に入射された光を透光部２ｂの背面に出射できるとともに、ガラスカバー２と導光板３からなる積層部材の周囲全体に該積層部材を保持するための保持部材を設ける必要がない。このため、従来のように保持部の大きさや機能に応じて取り付け制限がされる虞が生じることがなく、様々な取り付け態様に対応できるので、鏡一体型照明装置の薄型化、小型化、軽量化を図ることができる。なお、導光板３に対して光を入射する位置は導光板３の端部であればよく、下端面以外にも、この鏡一体型照明装置の用途等に応じて適宜設定することができる。たとえば、導光板３の上端面や左端面、右端面、表面や裏面から入射させてもよい。
【００４１】
ところで、ガラスカバー２と導光板３を保持するために、例えばガラスカバー２を構成する透光部２ｂの所定箇所と、この所定箇所に対応した導光板３の所定箇所とにビス穴を形成し、これらビス穴にビスを通してビス締めを行うような場合には、導光板３内部を全反射する光が導光板３および鏡面部２ａに形成されたビス穴を通過する際に影が生じてしまい、均一に面発光することができない。
【００４２】
しかし、上記した第１の実施の形態に係る鏡一体型照明装置１によれば、ガラスカバー２と導光板３は、導光板３の一部が鏡面部２ａの一部にビス６を用いて固着されることにより保持されているので、導光板３内部を全反射する光がビス穴を跨ぐようなことがあっても、ビス穴が形成されているのは透過性を有しない鏡面部２ａ内であるので、光の透過を抑制することができ、影の発生を抑制することができる。
【００４３】
また、例えば，透光部２ｂの所定箇所とこの所定箇所に対応した導光板３の所定箇所に接着剤を塗布することによってガラスカバー２と導光板３を接合・保持しているような場合には、導光板３内部を全反射する光は、接着剤が塗布された領域から漏れてしまい均一に面発光することができない。
【００４４】
しかし、上記した第１の実施の形態によれば、ガラスカバー２と導光板３は、導光板３の一部が鏡面部２ａの一部に接着剤を用いて固着されることにより保持されているので、導光板３内部を全反射する光が接着剤塗布領域から漏れるようなことがあっても、接着剤塗布領域が形成されているのは透過性を有しない鏡面部２ａ内であるので、光がそこから漏れることはなく、漏れ光を抑制することができる。
【００４５】
＜変形例１−１＞
また、導光板３を形成する領域の内、透光部２ｂに対応する領域に、かつ、導光板の背面に鏡面部を形成してもよい。このようにすることによって、透光部２ｂ形成領域においても透過した光が導光板の背面に形成された鏡面部を反射する。このため、正面から鏡一体型照明装置を見た場合に、装置全体が鏡となる、いわゆる全面鏡として機能させることができる。
【００４６】
＜変形例１−２＞
ところで、ガラスカバーの内部に導光されと、ガラスカバーが青色発光することが知られている。この青色発光は、本来の自然の見え方とは異なる見え方、すなわち青っぽく見えてしまう。
【００４７】
そこで、ガラスカバー２の端面に遮光部材を設けて、ＬＥＤモジュール３０からガラスカバー２へ光が直接入射することを防止することによって、ガラスカバー２に導光された際に生じるガラスカバー２の青色発光を抑制することができる。
【００４８】
具体的には、正面側保持プレート１２の形状を図２に示すような、ガラスカバー２の端面を覆う形状にすれば、ガラスカバー２の端面を遮光することができる。なお、図２に示す例以外にも、カーボンブラック、滑剤、微粒子及びバインダー樹脂を含有する遮光膜をガラスカバーの端面に塗布したり、そのような遮光膜をフィルム基材の上に形成した遮光性フィルムをガラスカバーの端面に接着してもよい。
【００４９】
＜第２の実施の形態＞
以下に、鏡一体型照明装置の第２の実施形態について図４〜図８を参照しながら説明する。図４は第２の実施の形態に係る鏡一体型照明装置の構造を示した分解斜視図である。図５は導光板１９にＬＥＤモジュール３０が嵌め込まれた状態を示した正面図である。図６はＬＥＤモジュール３０の構造を説明するための模式図である。図７は、図５のＢ−Ｂ線断面図およびその一部拡大断面図である。図８は図５のＣ−Ｃ線断面図およびその一部拡大断面図である。なお、図７および図８では、説明のため、導光板１９の内部に導かれる光束の一部の光路を単一の線で模擬的に示している。
【００５０】
［全体構成］
鏡一体型照明装置１７は、図４に示すように、ガラスカバー２，４２と、導光板１９と、半導体光源ユニットとして機能するＬＥＤモジュール３０とを備えて構成されている。
【００５１】
ガラスカバー２の構成は上記した第１の実施の形態と同様であり、ガラスカバー４２の構成もガラスカバー２と全く同じであるので、ガラスカバー２，４２の説明は省略する。
【００５２】
導光板１９は、光を透過する性質、つまり透光性を有する材料からなる略コの字形状の薄板であり、内側縁辺２１ａ、２１ｂ、２１ｃの両端付近には、合計４か所のビス穴２０が形成されている。導光板１９の形状は、重ね合わせた時にガラスカバー２を構成する透光部２ｂの全領域および鏡面部２ａの一部の領域を覆うような形状である。このような形状にした理由は、導光板１９とガラスカバー２，４２のビス締めによる接合・固着において、その固着箇所を鏡面部２ａ、４２ａの領域内にしたいからである。なお、ビス締め以外、例えば、後述する接着剤による接合・固着の場合には、その接着箇所を鏡面部２ａ、４２ａの領域内にする必要がある。
【００５３】
導光板１９の内側縁辺２１ａ、２１ｂ、２１ｃから光が入射すると、その光は表面（ガラスカバー２側）と裏面（背面側）との間で内面反射する。この内面反射により、入射した光は、入射された端面から反対側の端面に向けて導かれる。導光板３の材料については、上記した第１の実施の形態と同様であるので説明は省略する。
【００５４】
ガラスカバー２と導光板１９とガラスカバー４２とは、それぞれに設けられたビス穴１８、２０、４５にビスを通してビス締めすることにより接合・固着されている。なお、ビス締めによる固着以外にも接着剤を塗布することや粘着テープを貼付することにより固着してもよい。
【００５５】
ＬＥＤモジュール３０は、導光板１９に囲まれた領域（以下、「開口領域」と呼ぶ。）にぴったり嵌め込みできるような形状に成形された光源用プレート（ＬＥＤ保持プレート）３１およびＬＥＤ２８を備えて構成されている。図６に示すように、導光板１９の開口領域の形状は略矩形状である。ＬＥＤモジュール３０は、前記開口領域の大きさおよび形状とほぼ同じになるように形成され、その開口領域に嵌着されている。
【００５６】
また、ＬＥＤモジュール３０の縁辺３２ａ、３２ｂ，３２ｃ、３２ｄは折り曲げ加工により形成されている。導光板１９の内側縁辺２１ａ、２１ｂ、２１ｃに対応するＬＥＤモジュール３０の縁辺３２ａ、３２ｂ，３２ｃにＬＥＤ２８が載置される。また、光源用プレート３１には、この光源用プレート３１をガラスカバー２，４２に接着固定させるための接着穴３３が四隅（各コーナー）近傍に形成されている。この接着穴３３には接着材が挿入される。
【００５７】
ＬＥＤモジュール３０は、図７に示すように、長手方向に延在する棒状のＬＥＤ基板３６上に複数のＬＥＤ発光ダイオード３５が所定間隔をおいて配列されて構成されている。ＬＥＤモジュール３０は光源用プレート３１に接着剤で固着されている。
【００５８】
また、図７に示すように、導光板１９の裏面（背面）には、ＬＥＤモジュール３０から内側縁辺２１ａ、２１ｂ、２１ｃを介して入射された光の方向を偏向させてランダムに散乱（偏向）させる光散乱部（拡散部）２４が形成されている。光散乱部２４は、光を散乱（拡散）するために導光板１９の裏面に所定の配列でスクリーン印刷された拡散ドットパターンで構成されている。この拡散ドットパターンの大きさおよび配列は、上述したように導光板１９の表面全体が均等に光るように、ＬＥＤモジュール３０からの距離に応じて調節されている。具体的には、拡散ドットパターンのドット面積は、ＬＥＤモジュール３０からの離れるに従って増大するように設計される。
【００５９】
図７および図８に示すように、ＬＥＤモジュール３０からの光Ｐ３がこの拡散ドットパターンに入射すると、これにより拡散された光の一部（光Ｐ４、Ｐ５）が透光部２ｂ，４２ｂを介してガラスカバー２，４２の正面に出射される。このようにして導光板１９の両面が発光されることになる。
【００６０】
＜本装置１７の面発光動作＞
以下に、本装置１７の面発光動作について図７および図８を参照して説明する。導光板１９の内側縁辺２１ａ、２１ｂ、２１ｃに沿って配置されたＬＥＤ２８から出射された光Ｐ３は、導光板１９の内部表面を内面反射しながら導光板１９の外側縁辺２２ａ、２２ｂ、２２ｃ（図５参照）に向かって進行する。
【００６１】
導光板１９内に入射した光Ｐ３が光散乱部２４に入射されると、光散乱部２４の散乱剤の粒子にぶつかることで光Ｐ３の一部は、光Ｐ４，Ｐ５としてランダムな方向に偏向される（図７および図８参照）。偏向された光Ｐ４の一部は全反射条件を外れ、透光部２ｂを介してガラスカバー２の正面側に出射される。偏向された光Ｐ５の一部は、透光部４２ｂを介してガラスカバー４２の正面側に出射される。このようにして導光板１９の外部に出射した光により、透光部２ｂ、４２ｂが配置された領域が面発光（照明）される。
【００６２】
［効果］
上記した第２の実施の形態に係る鏡一体型照明装置１７は、ガラスカバー２，４２と、導光板１９と、導光板１９の端面に光を出射するように配置されたＬＥＤモジュール３０とを備えて構成されている。ガラスカバー２は、矩形状の鏡面部２ａと、この鏡面部２ａの３辺に連続するコの字形状の透光部２ｂとからなり、ガラスカバー４２は、矩形状の鏡面部４２ａと、この鏡面部４２ａの３辺に連続するコの字形状の透光部４２ｂとからなる。ＬＥＤモジュール３０が嵌め込まれた導光板１９を挟んで一対のガラスカバー２，４２が配置される。
【００６３】
導光板１９は、透光部２ｂ，４２ｂの背面に、かつ、鏡面部２ａ，４２ａの背面の一部に重なるように配置されている。導光板１９は、導光板１９の３端面（上端面、左右両端面）から入射された光を、内部を全反射しながら透光部２ｂ，４２ｂの背面に出射させる。ガラスカバー２と導光板１９の一方の面とが、ガラスカバー２の鏡面部２ａの一部において固着されることにより、ガラスカバー２と導光板１９とが接合される。ガラスカバー４２と導光板１９の他方の面とが、ガラスカバー４２の鏡面部４２ａの一部において固着されることによりガラスカバー４２と導光板１９とが接合される。
【００６４】
したがって、半導体光源ユニットとしてのＬＥＤモジュール３０が導光板１９の開口部に嵌め込まれて固着された構成になっているので、従来のようにＬＥＤモジュールを保持するための保持部材を設ける必要がない。また、ガラスカバーと導光板からなる積層部材の周囲全体に該積層部材を保持するための保持部材を設ける必要がないという上記した第１の実施の形態における効果と同様の効果が得られる。このため、従来のように保持部の大きさや機能に応じて取り付け制限がされる虞が生じることがなく、様々な取り付け態様に対応できるので、鏡一体型照明装置の薄型化、小型化、軽量化を図ることができる。
【００６５】
また、鏡面部が正面と背面の両方にあるため、鏡一体型照明装置１７の利用シーンが広がるという効果が得られる。
【００６６】
また、上記した第１の実施の形態に係る鏡一体型照明装置１と同様に、導光板１９の一部が鏡面部２ａ，４２ａの一部にビス締めによる接合・固着がなされているので、上記した第１の実施の形態における効果と同様に光の透過を抑制することができ、影の発生を抑制することができる。接着剤を塗布して接合・固着した場合においても、上記した第１の実施の形態と同様に漏れ光を抑制することができる。
【００６７】
また、上記した第１の実施の形態に係る鏡一体型照明装置１と同様に、本実施の形態によれば、曇り止め機能を持たせるためだけの曇り止め用ヒータをわざわざ設ける必要がない。
【００６８】
＜変形例２−１＞
上記した第２の実施の形態では、ＬＥＤモジュール３０が嵌め込まれた導光板１９を挟んで一対のガラスカバー２，４２が配置されているが、第１の実施の形態と同様にガラスカバーを導光板の一方の面に固着させた形態も考えられる。構成としては、上記した第２の実施の形態においてガラスカバー４２を除いた構成であり、導光板１９の裏面に反射膜が塗布されている点のみ異なる。したがって、以下では、上記した第２の実施の形態に係る鏡一体型照明装置１７を構成する各構成要素（ガラスカバー２、導光板１９等）と同様の符号を用いて異なる点のみ説明し、第２の実施の形態と同様の箇所については説明を省略する。
【００６９】
本変形例２−１では、鏡面部が設けられた側のみの片面発光でよく、上記した第２の実施の形態のように両面発光させなくてもよいので、導光板１９の背面側に形成された光散乱部（拡散部）２４を含む導光板１９の裏面全体に反射膜がコーティングされている。
【００７０】
したがって、導光板１９の内側縁辺２１ａ、２１ｂ、２１ｃに沿って配置されたＬＥＤ２８から出射された光は、導光板１９の内部表面を内面反射しながら導光板１９の外側縁辺２２ａ、２２ｂ、２２ｃに向かって進行する。
【００７１】
導光板１９内に入射した光が光散乱部２４に入射されると、光散乱部２４の散乱剤の粒子にぶつかることで入射光の一部はランダムな方向に偏向される。偏向された光の一部は、透光部２ａを介してガラスカバーの正面側に出射される。このようにして導光板１９の外部に出射した光により、透光部２ａが配置された領域が面発光（照明）される。
【００７２】
＜変形例２−２＞
上記した第２の実施の形態では、透光部２ｂは略コの字状であり、導光板１９の形状もそれに対応した略コの字状である。導光板１９の形状を略コの字状とした理由は、略コの字状の透光部２ｂの全面を発光させたいからである。導光板１９の形状は、略Ｕ字形状や、略Ｃ字形状であってもよい。また、鏡面部２ａ（４２ａ）の形状が、例えば略円形、略楕円形であるような場合には、導光板１９の形状および透光部２ｂ（４２ｂ）の形状を略Ｃ字形状とするのが好ましい。また、導光板１９の形状は、上記した略コの字形状、略Ｕ字形状、略Ｃ字形状の他にも、鏡面部２ａの周囲を取り囲むような略ロの字形状であってもよい。
【００７３】
また、発光領域を略コの字状の透光部２ｂの全面でなく、透光部の一部の領域、例えば透光部の内部縁辺２２ｂに対応する領域のみ発光させたい場合には、導光板の形状を所定幅を有する棒形状（略Ｉ字状）とし、この棒形状の導光板を発光させたい透光部の領域に対応する位置に配置するようにすればよい。
【符号の説明】
【００７４】
１  鏡一体型照明装置
２  ガラスカバー
２ａ  鏡面部（鏡部）
２ｂ  透光部（面発光部）
３  導光板
３ａ  光入射端部
４  光散乱部
５  反射膜
６  ビス
８  ＬＥＤモジュール（半導体光源ユニット）
９  保持部
１１  背面側保持プレート
１２  正面側保持プレート
１３  ＬＥＤ保持プレート
１４  装置固定用足
１５  ＬＥＤ発光ダイオード
１６  ＬＥＤ基板
１７  鏡一体型照明装置
１８  ビス穴
１９  導光板
２０  ビス穴
２４  光散乱部
２８  ＬＥＤ
３０  ＬＥＤモジュール（半導体光源ユニット）
３１  光源用プレート（保持板）
３３  接着穴
３５  ＬＥＤ発光ダイオード
３６  ＬＥＤ基板
４２  ガラスカバー
４５  ビス穴
【図３】
2013145651.tif 000003
【図５】
2013145651.tif 000004
【図１】
2013145651.tif 000005
【図２】
2013145651.tif 000006
【図４】
2013145651.tif 000007
【図６】
2013145651.tif 000008
【図７】
2013145651.tif 000009
【図８】
2013145651.tif 000010